(57)【要約】【課題】的確に開封し、包装されたサンドイッチなどの食品を適正に取り出せるようにした食品用の包装袋を提供する。【解決手段】重ね合わされている表フィルム１０と裏フィルム２０の両側縁１１，２１がシールされ、一端側がシール部１によって封止され、他端側が開口部２によって開口可能とされている食品用の包装袋において、裏フィルム２０を引き裂く起点である開封起点６が、前記裏フィルム２０のシール部１と開口部２との間であって、シール部１に近接した位置に設けられる。開封起点６は、好ましくは切込線によって構成され、封緘兼開封片７が貼着される。【選択図】　図１
2004142764.tif 000002
【特許請求の範囲】
【請求項１】
重ね合わされている表フィルムと裏フィルムの両側縁がシールされ、一端側がシール部によって封止され、他端側が開口部によって開口可能とされている食品用の包装袋において、
前記表フィルムまたは裏フィルムを引き裂く起点である開封起点が、該フィルムのシール部と開口部との間であって、シール部に近接した位置に設けられていることを特徴とする食品用の包装袋。
【請求項２】
前記開封起点は、前記フィルムに形成された切込線によって構成されていることを特徴とする請求項１に記載の食品用の包装袋。
【請求項３】
前記切込線は、シール部から開口部へ向う方向と、該方向に直交する方向とに引き裂くことができる形状に形成されていることを特徴とする請求項２に記載の食品用の包装袋。
【請求項４】
前記開封起点には、該開封起点を覆う封緘兼開封片が貼着されていることを特徴とする請求項１から３のいずれか一つに記載の食品用の包装袋。
【請求項５】
前記フィルムには、該フィルムを引き裂くための切断手段が少なくとも開封起点あるいは開封起点に近接した位置から開口部に向けて設けられていることを特徴とする請求項１から４のいずれか一つに記載の食品用の包装袋。
【発明の詳細な説明】
【０００１】
【発明の属する技術分野】
本発明は、サンドイッチやカステラなどの食品（以下、「サンドイッチ」という。）を包装する食品用の包装袋に関し、詳しくは、的確に開封し、包装されたサンドイッチを適正に取り出せるようにした食品用の包装袋に関する。
【０００２】
【従来の技術】
直角三角形状のサンドイッチは、図７から図９に示すような食品用の包装袋に包装されて販売されている。この食品用の包装袋は、図７に示すように重ね合わされている台形状の表フィルム１１０と裏フィルム１２０との両側縁１１１，１２１が熱によって極細にシールされ、幅の狭い一端（以下、「上」という。）側が帯状のシール部１０１によって封止され、幅の広い他端（以下、「下」という。）側が開口部１０２によって開口可能とされている。開口部１０２を開口しやすいようにするため、表フィルム１１０は図７の点線に示すように裏フィルム１２０よりもわずかに短く形成され、あるいは裏フィルム１２０が表フィルム１１０よりもわずかに短く形成されている。
【０００３】
さらに、シール部１０１から上側は、表フィルム１１０と裏フィルム１２０が重ね合わされた突出片１１２，１２２とされ、該突出片１１２，１２２の周囲が熱によって極細にシールされている。このような突出片１１２，１２２の上縁は円弧状や波形状のようなデザイン性に富んだ形状とされることがある。
【０００４】
さらに、裏フィルム１２０の突出片１２２には、逆Ｕ字形の切込線１２３が入れられ、該切込線１２３の内側が舌片状の摘み片１２４とされている。表フィルム１１０と裏フィルム１２０とは単に重ね合わされているだけであるから、摘み片１２４は摘み上げることができる。そして、例えば裏フィルム１２０の内面には、この摘み片１２４からシール部１０１を交差して開口部１０２付近まで、裏フィルム１２０を引き裂くための細い帯状の切断手段（以下、「カットテープ」という。）１０３が貼り付けられている。
【０００５】
このような食品用の包装袋は、表フィルム１１０と裏フィルム１２０とが重ね合わされた状態から、図８に示すように表フィルム１１０と裏フィルム１２０とが直角に折り曲げられて角部１１５，１２５が形成され、開口部１０２が長方形状に開口されることにより、側面がほぼ三角形の袋状の空間１０４が形成される。この空間１０４内にサンドイッチＳが収容され、開口部１０２側の表フィルム１１０と裏フィルム１２０は、図９に示すように折り畳まれて底部１０５とされ、該底部１０５は粘着テープ（図示せず）などによって封緘される。
【０００６】
そして、包装されたサンドイッチＳを食するには、裏フィルム１２０の突出片１２２に設けられた摘み片１２４を摘んで真っ直ぐ下方向へ引っ張ることにより、図９に示すようにカットテープ１０３がシール部１０１の裏フィルム１２０を裁断し、さらに真っ直ぐ下方向に引っ張ることにより、裏フィルム１２０を下方へ引き裂く。そして、裏フィルム１２０が底部１０５の方まで引き裂かれることにより、食品用の包装袋は的確に開封され、サンドイッチＳを引き裂かれた裏フィルム１２０側から取り出すことができる。
【０００７】
なお、一方の突出片を他方の突出片からさらに突出させ、この突出した部分の中央に二条の平行な切断線を設け、この切断線間を摘み片としたサンドイッチ用包装袋が実公平２−３２５８７号に開示されている。
【０００８】
【特許文献１】
実公平２−３２５８７号公報
【０００９】
【発明が解決しようとする課題】
従来の食品用の包装袋にあっては、摘み片１２４が真っ直ぐ下方向ではなく、斜め下方向に引っ張られると、摘み片１２４がシール部１０１を通過するときに、シール部１０１に沿う方向の力が生じやすい。すると、裏フィルム１２０はカットテープ１０３によって底部１０５の方へ引き裂かれず、図９の一点鎖線に示すようにシール部１０１から裏フィルム１２０の折り曲げられた角部１１５，１２５、さらに裏フィルム１２０と表フィルム１１０をシールした側縁１２１，１１１の方へと引き裂かれてしまう。
【００１０】
すると、収容されていたサンドイッチＳを取り出すことが困難となる。さらに裏フィルム１２０と表フィルム１１０の側縁１２１，１１１は極細にシールされているだけであるから、一気に引き裂かれやすい。そして、裏フィルム１２０が角部１１５，１２５から側縁１２１，１１１まで引き裂かれると、一気に該側縁１２１，１１１の底部１０５の方まで引き裂かれ、サンドイッチＳは外にこぼれ落ちることがある。
【００１１】
また、突出片１１２，１２２を持って摘み片１２４を引っ張ると、摘み片１２４や突出片１１２，１２２が切断されてしまうことがある。すると、裏フィルム１２０を開封することができず、サンドイッチＳを取り出すことが困難となる。
【００１２】
そこで、本発明は的確に開封し、包装されたサンドイッチを適正に取り出せるようにした食品用の包装袋を提供することを課題とする。
【００１３】
【課題を解決するための手段】
本発明に係る食品用の包装袋は、重ね合わされている表フィルムと裏フィルムの両側縁がシールされ、一端側がシール部によって封止され、他端側が開口部によって開口可能とされている食品用の包装袋において、前記表フィルムまたは裏フィルムを引き裂く起点である開封起点が、該フィルムのシール部と開口部との間であって、シール部に近接した位置に設けられていることを特徴としている。
【００１４】
この食品用の包装袋によれば、表フィルムまたは裏フィルムを引き裂く起点である開封起点が、シール部と開口部との間であって、シール部に近接した位置に設けられたことにより、該フィルムはシール部と交差することなく引き裂かれ、開封することができる。したがって、開封に際して、引き裂かれるフィルムにはシール部に沿う方向の力が生じず、該フィルムは角部から側縁の方へ引き裂かれることがなく、開封起点から開口部側へ真っ直ぐに引き裂かれる。
【００１５】
また、前記開封起点は、前記フィルムに形成された切込線によって構成されていることが好ましい。開封起点が切込線によって構成されることにより、開封起点に小さな力を加えるだけで、切込線が長くなり、続けてフィルムを引き裂くことができる。
【００１６】
また、前記切込線は、シール部から開口部へ向う方向と、該方向に直交する方向とに引き裂くことができる形状に形成されていることが好ましい。開口部へ向けて引き裂かれた後のフィルムは、前記直交する方向に引き裂かれることにより、シール部から開口部にかけて広範囲に開封することができる。このような切込線は例えば、Ｘ字形や逆Ｙ字形とすることができる。
【００１７】
また、前記開封起点には、該開封起点を覆う封緘兼開封片が貼着されていることが好ましい。開封起点が切込線によって構成されていると、外気や埃などが切り込み線から内部に進入する可能性があるものの、封緘兼開封片が切込線によって構成される開封起点を貼着することによって、外気や埃などが切込線から内部に侵入しないようにすることができる。また、開封起点が切込線ではなく、容易に破けるような極薄膜によって構成されていても、封緘兼開封片が極薄膜の開封起点を貼着することによって、破けにくいようにすることができる。
【００１８】
さらに、封緘兼開封片は、開封起点に貼着される貼着部と、引き裂かれるフィルムに貼着されない摘み部とが連続して形成されたものであることが好ましい。貼着部が引き裂かれる側の開封起点に貼着された状態で、摘み部を摘んで開口部側へ引っ張ることにより、フィルムを引き裂くようにしてもよいし、あるいは、摘み部を摘んで貼着部を開封起点から完全に剥し、改めて、開封起点を摘んでフィルムを引き裂くようにしてもよい。
【００１９】
また、前記フィルムには、該フィルムを引き裂くための切断手段が少なくとも開封起点あるいは開封起点に近接した位置から開口部に向けて設けられていてもよい。該一方のフィルムは、切断手段に案内されて真っ直ぐに引き裂かれ、食品用の包装袋は的確に開封される。
【００２０】
【発明の実施の形態】
本発明に係る食品用の包装袋の一実施形態について図１から図６を参照しながら説明する。
【００２１】
本実施形態の食品用の包装袋も従来と同様、重ね合わされている台形状の表フィルム１０と裏フィルム２０の両側縁１１，２１が熱によって極細にシールされ、幅の狭い一端（以下、「上」という。）側が帯状のシール部１によって封止され、幅の広い他端（以下、「下」という。）側が開口部２によって開口可能とされている。開口部２を開口しやすいようにするため、表フィルム１０は図１から図４の点線に示すように裏フィルム２０よりもわずかに短く形成され、あるいは裏フィルム２０が表フィルム１０よりもわずかに短く形成されている。
【００２２】
さらに、シール部１から上側は、表フィルム１０と裏フィルム２０が重ね合わされた突出片１２，２２とされ、該突出片１２，２２の周囲が熱によって極細にシールされている。この突出片１２，２２には、商標などが印刷され、また突出片１２，２２を摘んで本包装袋を陳列棚から取り出せるようにされている。さらに、突出片１２，２２の上縁は円弧状や波形状のようなデザイン性に富んだ形状とされることがある。
【００２３】
そして、本実施形態の食品用の包装袋は、例えば裏フィルム２０を引き裂く起点である開封起点６が、裏フィルム２０の突出片２２ではなく、裏フィルム２０のシール部１と開口部２との間であって、シール部１の中心に近接した位置に設けられていることを特徴としている。この開封起点６は、好ましくは裏フィルム２０に形成された切込線によって構成されるが、ミシン目や容易に破けるような極薄膜によって構成することもできる。
【００２４】
開封起点６が切込線やミシン目によって構成されると、外気や埃などが切込線やミシン目から内部に侵入し、収容されているサンドイッチＳ（図８参照）が乾燥したり、不衛生となったりする。また、開封起点６が極薄膜によって構成されると、破けやすく、破けたときに不衛生となる。
【００２５】
そこで、開封起点６には封緘兼開封片７が貼着され、切込線やミシン目の開封起点６から外気や埃などが内部に侵入しないようにし、あるいは開封しようとしていない状態で極薄膜の開封起点６が破けないようにしている。この封緘兼開封片７は、例えば、開封起点６に貼着される貼着部７ａと、シール部１側に位置しながら裏フィルム２０に貼着されない摘み部７ｂとを連続に形成したものとされている。
【００２６】
そして切込線は、裏フィルム２０を広い範囲で開封することができるように、引き裂き方向に対して斜め方向に交わる線によって構成される。すなわち、切込線は例えば図１から図４に示すようなＸ字形のほか、逆Ｙ字形、逆Ｖ字形、ハ字形などシール部１から開口部２へ向う方向と、該方向に直交する方向とに引き裂くことができる形状であることが好ましい。
【００２７】
切込線がＸ字形に形成されているときは、開口部２側の逆Ｖ字形の切片６ａ、シール部１側のＶ字形の切片６ｂ、各側縁２１側のく字形と逆く字形の切片６ｃ，６ｄによって構成される。
【００２８】
また、裏フィルム２０の内面には、裏フィルム２０が引き裂かれる方向を案内する切断手段（以下、「カットテープ」という。）３が開封起点６から開口部２に向けて設けられている。カットテープ３は、従来と同様の図１に示すような細い帯状部材以外に、裏フィルム２０を広い幅で引き裂く形状とすることが好ましい。すなわち、カットテープ３は例えば、図２に示すような細長い五角形状の帯状部材、図３に示すような下向きほぼコ字形の部材、図４に示すような逆Ｙ字形の部材、その他図示しない逆Ｖ字形の部材など種々の形状の部材とすることができる。このようなカットテープ３は、シール部１の長さの範囲内で幅設定されている。
【００２９】
いずれの形状のカットテープ３も上端部は前記開封起点６に設けられることが好ましい。一方、カットテープ３の下端部は図１から図３に示すように開口部２付近まで設けられることが好ましいが、図４に示すように開封起点６から開口部２の方に向けて短く設けられるようにしてもよい。カットテープ３が短く設けられても、裏フィルム２０はその短いカットテープ３によって引き裂かれる方向が案内されて、底部５の方へ引き裂かれる。ただし、裏フィルム２０は一軸延伸のものが使用されることにより、確実に引き裂かれる方向を規制することができる。
【００３０】
その他、従来と同様、表フィルム１０と裏フィルム２０とは、重ね合わされた状態から直角に折り曲げられて角部２３を有する状態とされることにより、開口部２が長方形に開口し、空間が形成される。該空間内にサンドイッチＳ（図８参照）が収容され、開口部２側の表フィルム１０と裏フィルム２０とが折り畳まれた底部５は、粘着テープ（図示せず）などによって封緘される。
【００３１】
そして、本実施形態の食品用の包装袋に包装されたサンドイッチＳを食するには、封緘兼開封片７の摘み部７ｂを摘んで真っ直ぐ下方向へ引っ張る。封緘兼開封片７が引っ張られるまでは、開封起点６には封緘兼開封片７の貼着部７ａが貼着されているため、切込線やミシン目の開封起点６から外気や埃などが内部に侵入することがなく、また極薄膜の開封起点６は破けることがないことから、サンドイッチＳの品質は保持されている。
【００３２】
そして、開封起点６がＸ字形の切込線である場合には、封緘兼開封片７の摘み部７ｂが、図５に示すように真っ直ぐ下の底部５の方向へ引っ張られると、封緘兼開封片７の貼着部７ａが他の切片６ｂ，６ｃ，６ｄから剥れ、貼着部７ａが貼着している逆Ｖ字形の切片６ａと、剥れたく字形の切片６ｃと逆く字形の切片６ｄとの境界の切込線を引き裂く。Ｖ字形、く字形、逆く字形の切片６ｂ，６ｃ，６ｄは、引き裂きの方向が封緘兼開封片７の引っ張られる方向と一致していないため、封緘兼開封片７はこの切片６ｂ，６ｃ，６ｄから容易に剥れ、逆Ｖ字形の切片６ａは、引き裂きの方向が封緘兼開封片７の引っ張られる方向と一致しているため、封緘兼開封片７はこの切片６ａから剥れることなく裏フィルム２０を底部５の方へ引き裂くことができる。
【００３３】
そして、開封起点６はシール部１と開口部２との間に設けられ、カットテープ３はシール部１を通過しないため、シール部１に沿う方向の力は生じず、裏フィルム２０の折り曲げられた角部２３から裏フィルム２０と表フィルム１０をシールした側縁１１，２１の方へは引き裂かれない。
【００３４】
また、図２および図３に示すカットテープ３が貼り付けられているときは、裏フィルム２０は切込線の開封起点６がカットテープ３まで引き裂かれ、そして角部２３，２３から側縁２１の方へ引き裂かれることなく、カットテープ３に沿って開口部２の方へ広い幅で引き裂かれて食品用の包装袋を広い幅で開封することができる。また、図４に示すカットテープ３を貼り付けた裏フィルム２０も、２股に分かれた下側端部から底部５の方へ広い幅で引き裂かれ、食品用の包装袋を開封することができる。
【００３５】
一方、開封起点６の横側は引き裂かれていないため、く字形の切片６ｃと逆く字形の切片６ｄを摘んで拡開すれば、一対の角部２３，２３間で区画される平面部を最大限開封してサンドイッチＳの取出しを極めて容易に行うことができる。
【００３６】
開封起点６をＸ字形の切込線として、く字形の切片６ｃと逆く字形の切片６ｄを摘んで拡開するときは、図６に示すように、逆Ｖ字形の切片６ａとＶ字形の切片６ｂの角度αは６０度とし、く字形の切片６ｃと逆く字形の切片６ｄの角度βは１２０度とすることにより、適切な方向に引き裂きやすくなる。
【００３７】
いずれにしても、裏フィルム２０はシール部１と交差することなく、広い帯状に引き裂かれることにより、的確に開封された食品用の包装袋からサンドイッチＳを適正に取り出すことができる。
【００３８】
なお、本発明は前記発明の実施の形態に限定することなく特許請求の範囲に記載した技術的事項の範囲内において種々変更することができる。例えば、開封起点６は表フィルム１０のシール部１と開口部２との間であって、シール部１に近接した位置に設けられてもよい。さらに、切断手段３は開封起点６に近接した位置に設けられてもよい。
【００３９】
また、表フィルム１０と裏フィルム２０の両側縁１１，２１は、熱ではなく接着剤などによってシールすることもできる。さらに、切断手段３はカットテープに替えてミシン目とすることもできる。ただし、一軸延伸の裏フィルム２０を使用する場合は、切断手段３を設けなくてもよい。
【００４０】
そして、発明の詳細な説明において説明した上下の位置関係は、図示した場合の位置関係であって、実際の上下の位置関係とは異なる場合があることはいうまでもない。
【００４１】
【発明の効果】
本発明によれば、引き裂かれる表フィルムまたは裏フィルムのシール部と開口部との間であって、シール部に近接した位置に、該フィルムを引き裂く起点である開封起点が設けられていることにより、該フィルムはシール部と交差することなく引き裂かれる。したがって、該フィルムは開封起点から開口部側へ真っ直ぐに引き裂かれ、的確に開封することができる。この結果、包装されたサンドイッチが飛び出して外にこぼれ落ちないようにすることができる。
【図面の簡単な説明】
【図１】本発明に係る食品用の包装袋の一実施形態を示す正面図
【図２】同じく変形例を示す正面図
【図３】同じく別の変形例を示す正面図
【図４】同じく別の変形例を示す正面図
【図５】本発明に係る食品用の包装袋の一実施形態を示す斜視図
【図６】本発明に係る食品用の包装袋の一実施形態を示す要部拡大正面図
【図７】従来の食品用の包装袋の正面図
【図８】従来の食品用の包装袋の斜視図
【図９】従来の食品用の包装袋によって包装されたサンドイッチの斜視図
【符号の説明】
１…シール部
２…開口部
３…切断手段（カットテープ）
６…開封起点
７…封緘兼開封片
１０…表フィルム
１１…側縁
２０…裏フィルム
２１…側縁
【図１】
2004142764.tif 000003
【図２】
2004142764.tif 000004
【図３】
2004142764.tif 000005
【図４】
2004142764.tif 000006
【図５】
2004142764.tif 000007
【図６】
2004142764.tif 000008
【図７】
2004142764.tif 000009
【図８】
2004142764.tif 000010
【図９】
2004142764.tif 000011